(57)【要約】【課題】直管ＬＥＤランプの着脱の作業性向上を図るとともに管径が異なる複数種類の直管ＬＥＤランプに対応可能とする。【解決手段】幅方向における一対の保持片52間の最大寸法をＡとし、幅方向における一対の案内片53間の最小寸法をＢとする。さらに、幅方向における一対の案内片53間の最大寸法をＣとし、ランプ８の管部分の外径をＤとする。そして、Ｂ＜Ａ＜Ｄ且つＣ≒Ｄの関係を満たすように支持ばね５を形成している。故に、一対の保持片52の間にランプ８を挿入する際、各案内片53の先端が放熱部材81の凹溝810に引っ掛かり難いため、ランプ８の着脱の作業性向上を図ることができる。さらに、支持ばね５は、ランプ８の外径Ｄよりも、一対の保持片52間の最大寸法Ａが大きくならないように形成されているので、管径が異なる複数種類の直管ＬＥＤランプ８に対応可能である。【選択図】        図１
2014191929.tif 000002
【特許請求の範囲】
【請求項１】
天井に配設される器具本体と、前記器具本体に取り付けられて直管ＬＥＤランプの口金が着脱自在に装着される複数のランプソケットと、前記器具本体に取り付けられて前記直管ＬＥＤランプの管部分を支持する１乃至複数のランプ支持ばねとを備え、
前記ランプ支持ばねは、平板状の取付片と、前記取付片の幅方向における両端からそれぞれ垂下された一対の腕片と、前記各腕片の先端からそれぞれ垂下され且つ弧状に形成された一対の保持片と、前記各保持片の先端から互いに離れる向きに突出する一対の案内片とを有し、前記管部分を支持していない状態において、前記幅方向における前記一対の保持片間の最大寸法が、前記幅方向における前記一対の案内片間の最小寸法よりも大きく且つ前記直管ＬＥＤランプの前記管部分の外径よりも小さく、さらに、前記幅方向における前記一対の案内片間の最大寸法と、前記直管ＬＥＤランプの前記管部分の外径とがほぼ等しくなる、あるいは前記幅方向における前記一対の案内片間の最大寸法が前記直管ＬＥＤランプの前記管部分の外径よりも大きくなるように構成されることを特徴とする照明器具。
【請求項２】
前記案内片は、前記口金の装着時に最初に前記管部分と接する点における接線と平行に突出することを特徴とする請求項１記載の照明器具。
【請求項３】
前記案内片は、前記口金の装着時に最初に前記管部分と接する点における接線に対して前記管部分から離れるように突出することを特徴とする請求項１記載の照明器具。
【発明の詳細な説明】
【技術分野】
【０００１】
本発明は、直管ＬＥＤランプ用の照明器具に関する。
【背景技術】
【０００２】
近年、直管形蛍光ランプ及び直管形蛍光ランプ用の照明器具に代えて、直管ＬＥＤランプ及び直管ＬＥＤランプ用の照明器具が普及しつつある(特許文献１参照)。特許文献１記載の照明器具は、天井に埋込配設される矩形箱状の器具本体と、器具本体の内底面に取り付けられる反射板と、一対のランプソケットと、ランプ支持ばねとを備える。
【０００３】
ランプソケットは、反射板の長手方向の両端にそれぞれ設けられている。なお、直管ＬＥＤランプは、両端の口金から突出するピンをランプソケットの下面に設けられた溝に挿入した後、軸の周りに約９０度回転させることでランプソケットに装着される。
【０００４】
ランプ支持ばねは、金属製の板材が略Ω形状に曲げ加工されてなり、直管ＬＥＤランプの管部分を嵌め込んで支持している。
【先行技術文献】
【特許文献】
【０００５】
【特許文献１】特開２０１３−２６０３２号公報
【発明の概要】
【発明が解決しようとする課題】
【０００６】
ところで、直管ＬＥＤランプの管部分は、その周方向における約半周分の領域が金属製(アルミ製)の放熱部材で形成され、残り半周分の領域がガラスや合成樹脂などの透光性材料で形成されている。さらに、放熱部材は、表面積を増やすために軸方向に沿った多数の凹溝が形成されている。
【０００７】
したがって、直管ＬＥＤランプを回転させたときに放熱部材の凹溝にランプ支持ばねの先端が引っ掛かってしまい、直管ＬＥＤランプの着脱がスムーズに行えない場合がある。
【０００８】
また、直管ＬＥＤランプには管径が異なる数種類のものが存在しており、１種類のランプ支持ばねでこれら複数種類の直管ＬＥＤランプに全て対応することが必要となる。
【０００９】
本発明は、上記課題に鑑みて為されたものであり、直管ＬＥＤランプの着脱の作業性向上を図るとともに管径が異なる複数種類の直管ＬＥＤランプに対応可能とすることを目的とする。
【課題を解決するための手段】
【００１０】
本発明の照明器具は、天井に配設される器具本体と、前記器具本体に取り付けられて直管ＬＥＤランプの口金が着脱自在に装着される複数のランプソケットと、前記器具本体に取り付けられて前記直管ＬＥＤランプの管部分を支持する１乃至複数のランプ支持ばねとを備え、前記ランプ支持ばねは、平板状の取付片と、前記取付片の幅方向における両端からそれぞれ垂下された一対の腕片と、前記各腕片の先端からそれぞれ垂下され且つ弧状に形成された一対の保持片と、前記各保持片の先端から互いに離れる向きに突出する一対の案内片とを有し、前記管部分を支持していない状態において、前記幅方向における前記一対の保持片間の最大寸法が、前記幅方向における前記一対の案内片間の最小寸法よりも大きく且つ前記直管ＬＥＤランプの前記管部分の外径よりも小さく、さらに、前記幅方向における前記一対の案内片間の最大寸法と、前記直管ＬＥＤランプの前記管部分の外径とがほぼ等しくなる、あるいは前記幅方向における前記一対の案内片間の最大寸法が前記直管ＬＥＤランプの前記管部分の外径よりも大きくなるように構成されることを特徴とする。
【００１１】
この照明器具において、前記案内片は、前記口金の装着時に最初に前記管部分と接する点における接線と平行に突出することが好ましい。
【００１２】
この照明器具において、前記案内片は、前記口金の装着時に最初に前記管部分と接する点における接線に対して前記管部分から離れるように突出することが好ましい。
【発明の効果】
【００１３】
本発明の照明器具は、一対の保持片の間に直管ＬＥＤランプを挿入する際、各案内片の先端が管部分に引っ掛かり難いため、直管ＬＥＤランプの着脱の作業性向上を図ることができる。さらに、支持ばねは、直管ＬＥＤランプの外径よりも、一対の保持片間の最大寸法が大きくならないように形成されているので、管径が異なる複数種類の直管ＬＥＤランプに対応可能になる。
【図面の簡単な説明】
【００１４】
【図１】本発明に係る照明器具の実施形態を示し、(ａ)〜(ｃ)はランプ支持ばねと直管ＬＥＤランプの断面図である。
【図２】同上の分解斜視図である。
【図３】同上の斜視図である。
【図４】同上におけるランプ支持ばねの斜視図である。
【図５】同上におけるランプソケットと直管ＬＥＤランプの斜視図である。
【図６】(ａ)，(ｂ)は同上における別の構成のランプ支持ばねと直管ＬＥＤランプの断面図である。
【図７】本発明に係る照明器具の別の実施形態を示す斜視図である。
【図８】本発明に係る照明器具のさらに別の実施形態を示す斜視図である。
【発明を実施するための形態】
【００１５】
以下、本発明に係る照明器具の実施形態について図面を参照して詳細に説明する。本実施形態は、一般社団法人日本電球工業会規格JEL801「Ｌ形ピン口金GX16t-5付直管形ＬＥＤランプシステム(一般照明用)」に準拠した直管ＬＥＤランプ(以下、ランプと略す。)８を光源とする。ただし、前記規格に準拠しない直管ＬＥＤランプを光源とする照明器具にも本発明の技術思想は適用可能である。
【００１６】
ランプ８は、図５に示すように円筒状の管部分と、管部分の両端に設けられる一対の口金82，83とを有する。管部分は、透光性を有する合成樹脂(例えば、ポリカーボネート)からなる半円筒形状のカバー80と、熱伝導度が相対的に高く且つ軽量な金属(例えば、アルミ)からなる半円柱形状の放熱部材81とで構成される。放熱部材81は、カバー80と対向する内底面に、多数のＬＥＤを直線上に並べて実装した長尺の基板が取り付けられており、多数のＬＥＤが発する熱を管部分の外に放熱している。なお、放熱部材81の外表面には、軸方向(長手方向)に沿った長尺の凹溝810が、周方向に沿って等間隔に並べて設けられている。
【００１７】
本実施形態の照明器具は、図２及び図３に示すように器具本体１と、二組のランプソケット２，３と、反射板４と、ランプ支持ばね５とを備える。器具本体１は、金属板を折り曲げ加工することにより、下面側が開放された断面略コ字形に形成され、天井に設けられた取付ボルト100が挿通される一対の挿通孔(図示せず)が穿孔されている。すなわち、器具本体１を天井に取り付ける際には、挿通孔に挿通された取付ボルト100に座金101を介装してナット102を締め付ければよい。
【００１８】
また、器具本体１は、長手方向の略中央に、商用電源よりなる交流電源に接続され天井裏に先行配線されている電源線103を引き込むための電源線挿通孔10が穿孔されている。さらに、器具本体１の下面には、長手方向において電源線挿通孔10を挟むように端子台７及び電源装置６が取り付けられている。ここに、電源線挿通孔10を通して引き込まれた電源線103が端子台７に接続される。なお、電源装置６は、商用電源から供給される交流電力を直流電力に変換する電力変換回路(ＡＣ／ＤＣコンバータ)等が実装されたプリント配線板(図示せず)を金属製のケースに収納して構成されている。ただし、このような電源装置６は従来周知であるから、詳細な構成及び動作の図示並びに説明を省略する。
【００１９】
対を為す２種類のランプソケット２，３は、一般社団法人日本電球工業会規格JEL801「Ｌ形ピン口金GX16t-5付直管形ＬＥＤランプシステム(一般照明用)」に準拠しており、一方のランプソケット２が給電用であり、他方のランプソケット３が接地用である。すなわち、給電用のランプソケット２は、片側の口金82に設けられた一対のＬ形ピン820が接続され、これら一対のＬ形ピン82間に直流電圧を印加するように構成されている。また、接地用のランプソケット３は、もう片側の口金83に設けられた接地ピン830が接続され、当該接地ピン830を機械的に保持するとともに、グランドに接地されている器具本体１と電気的に接続する。ただし、ランプソケット３に接続される接地ピン830は、器具本体１と電気的に接続されず、機械的な保持のみに用いられる場合もある。
【００２０】
反射板４は、金属板を折り曲げ加工することで断面略Ｖ字形に形成され、下面開口を覆うように器具本体１に取り付けられる。なお、反射板４は、器具本体１の長手方向の両端及び中央に設けられた３つの固定具11に、それぞれつまみねじ12をねじ止めすることで器具本体１に取り付けられる。また、反射板４は、長手方向の両端部において、それぞれランプソケット２，３が挿通されるソケット挿通孔40が設けられている。さらに、反射板４の長手方向における中央付近には、ランプ支持ばね５を取り付けるための取付孔41が設けられている。
【００２１】
ランプ支持ばね(以下、支持ばねと略す。)５は、図４に示すように取付片50、一対の腕片51、一対の保持片52、一対の案内片53が、ばね性を有する金属板を打ち抜き加工及び曲げ加工することで略Ω形に一体に形成されてなる。なお、以下の説明では、特に断りの無い限り、図４において上下左右前後の各方向を規定する。
【００２２】
取付片50は、全体が矩形平板状であって、前後方向中央の左右両端部分に第１係合片500及び第２係合片501が切り起こして形成されている。第１係合片500は、先端部分が外向き(右向き)に略直角に曲げられている。一方、第２係合片501は、先端部分が内向き(右斜め下向き)に鋭角に曲げられている。つまり、一方の取付孔41に第１係合片500を挿入係止した後、他方の取付孔41に第２係合片501を挿入係止することによって、取付片50(支持ばね５)が反射板４に取り付けられる。
【００２３】
各腕片51は、矩形平板状であり、取付片50の左右両端より下向きに曲げ起こされている。ただし、各腕片51は、下端に向かうほど互いの間隔を狭くするように僅かに傾斜している。
【００２４】
各保持片52は、取付片50の下端より下方に垂下し、且つ外向きに凸となる円弧状に形成されている。また、各保持片52は、管部分に対向する面にランプ８の周方向(上下方向)に沿った突条54が形成されている。つまり、一対の保持片52の間にランプ８の管部分が弾性的に挟持されるとき、突条54の先端部分のみがランプ８の管部分と接触することになる。
【００２５】
各案内片53は、保持片52の下端から外向き且つ下向きに突出している。なお、突条54は保持片52だけでなく案内片53にも形成されている。
【００２６】
ここで、図１(ａ)に示すように、幅方向(左右方向)における一対の保持片52(突条54の先端)間の最大寸法をＡとし、幅方向における一対の案内片53(突条54の先端)間の最小寸法をＢとする。さらに、図１(ａ)に示すように、幅方向における一対の案内片53間の最大寸法(先端同士の間隔)をＣとし、ランプ８の管部分の外径をＤとする。このとき、一対の保持片52でランプ８の管部分を保持するためには、少なくとも、Ｂ＜Ｄの関係が成立する必要がある。さらに、管径が異なる複数種類のランプ８に対応するため、支持ばね５は、一対の保持片52間の最大寸法Ａが、これら複数種類のランプ８のうちの最小径よりも大きくないことが望ましい。
【００２７】
また、蛍光ランプに対しては、ＣがＤより大幅に小さくても案内片53の先端が管部分に引っ掛かり難いが、直管ＬＥＤランプ８に対しては、ＣがＤよりも大幅に小さいと案内片53の先端が放熱部材81の凹溝810に引っ掛かりやすい。したがって、本実施形態では、Ｂ＜Ａ＜Ｄ且つＣ≒Ｄの関係を満たすように支持ばね５を形成し、案内片53の先端が放熱部材81の凹溝810に引っ掛かり難くしている。ただし、図６(ｂ)に示すように、ＣがＤより大きくても構わない。
【００２８】
上述のように本実施形態によれば、一対の保持片52の間にランプ８を挿入する際、各案内片53の先端が放熱部材81の凹溝810に引っ掛かり難いため、ランプ８の着脱の作業性向上を図ることができる。さらに、支持ばね５は、ランプ８の外径Ｄよりも、一対の保持片52間の最大寸法Ａが大きくならないように形成されているので、管径が異なる複数種類の直管ＬＥＤランプ８に対応可能である。
【００２９】
ところで、案内片53は、ランプ８(口金82，83)の装着時に最初に管部分と接する点Ｐにおける接線ＬＰと平行に突出するか(図１(ａ)参照)、あるいは接線ＬＰに対して管部分から離れるように突出することが望ましい(図６(ａ)参照)。前者の場合、管部分の挿入時に均一な力で挿入することができ、対応可能な管径の範囲も相対的に広くなるという利点がある。一方、後者の場合、前者の場合と比べて、管部分に隠れるために案内片53が目立ちにくいという利点がある。
【００３０】
ここで、点Ｐの位置はランプ８の管径が大きくなるにつれて外側に移動する。故に、案内片53を、点Ｐの各位置における接線ＬＰの方向に突出するように湾曲した形状に形成すれば、管径の異なる複数種類のランプ８について、管部分の挿入時に均一な力で挿入することができるという利点がある。
【００３１】
また、案内片53は全体が平坦である必要は無く、管部分を挿入し易くするために、先端(下端)部分を上向きに曲げるようにしても構わない。さらに、ランプ８の光学特性(配光特性)に与える影響を抑えるため、幅方向における一対の案内片53間の最小寸法Ｂを可能な限り小さくすることが好ましい。例えば、JEL801「Ｌ形ピン口金GX16t-5付直管形ＬＥＤランプシステム(一般照明用)」に準拠したランプ８の場合、軸方向から見て１２０度以内の光束が７０％未満という規定があるので、この角度範囲の外側に案内片53を配置することが好ましい。
【００３２】
ところで、取付片50の左右方向の幅寸法を、各腕片51の先端(下端)同士の間隔以下にすれば、ランプ８の管部分を案内片53に押し当てた際、腕片51が座屈し難くなるという利点がある。ただし、取付片50の幅寸法を狭くすると支持ばね５の安定性が低下するので、各腕片51の先端(下端)同士の間隔とほぼ同じか、若しくは本実施形態のように僅かに小さくすることが望ましい。
【００３３】
なお、本実施形態は、器具本体１に２本のランプ８を装着する２灯式の照明器具を例示したが、図７に示すように１本のランプ８のみを装着する１灯式の照明器具であっても構わない。あるいは、図８に示すような構造の照明器具であっても構わない。図８に示す照明器具は、例えば、博物館又は美術館の展示室の壁に掛けられた展示物(例えば、絵画)を照明したり、講義室や教室の壁に設置された黒板を照明するものである。
【符号の説明】
【００３４】
１  器具本体
２  ランプソケット
３  ランプソケット
５  ランプ支持ばね
８  直管ＬＥＤランプ
50  取付片
51  腕片
52  保持片
53  案内片
【図１】
2014191929.tif 000003
【図２】
2014191929.tif 000004
【図３】
2014191929.tif 000005
【図４】
2014191929.tif 000006
【図５】
2014191929.tif 000007
【図６】
2014191929.tif 000008
【図７】
2014191929.tif 000009
【図８】
2014191929.tif 000010